(57)【特許請求の範囲】
【請求項１】
高圧送電線鉄塔に懸吊された垂直型がいし連のがいしを洗浄するがいしの洗浄装置であって、がいしの洗浄部を有し、この洗浄部が、平面形状が円形のがいしの外周部に当てがわれる円弧状のガイド体と、このガイド体に案内されて回動する回動体と、この回動体からがいしへ向って延出しがいしの上面と下面に摺接してこの上面と下面を清掃する清掃子と、がいしに向って洗浄水を吐出する水タンクと、前記回動体の両端部に一端部が取り付けられた左右２本の第１のひも状体と、台部上に水平な姿勢で軸支されてこれらの第１のひも状体が水平方向へ周回する左右２個のローラと、水平な回転軸に軸着されてこれらのローラを周回した第１のひも状体が巻回される第１の回転体と、第１の回転体と同軸的に設けられた第２の回転体と、第２の回転体に巻回されて上方へ延出し、洗浄部の上方において交互に引き操作をすることにより第１の回転体と第２の回転体を前記水平な回転軸を中心に上下方向へ正逆回転させ、これにより前記回動体を前記ガイド体に沿って正逆回動させる２本の第２のひも状体と、前記ガイド体から上方へ延出するアーム及びこのアームの先端部に軸支されてがいしの上面に当接するロールから成る前記洗浄部の位置決め手段とを備え、この洗浄部に連結部を介して上方へ延出する電気絶縁性の操作棒を連結し、この洗浄部をこの操作棒で上方から支持するようにしたことを特徴とするがいしの洗浄装置。
【発明の詳細な説明】
【０００１】
【発明の属する技術分野】
本発明は、高圧送電線鉄塔の長大な垂直がいし連のがいしの洗浄に適したがいしの洗浄装置に関するものである。
【０００２】
【従来の技術】
送電線鉄塔は野外に設置されており、送電線を保持するがいしには長期間のうちに塵埃や潮風中の塩分などが付着し、絶縁性を阻害しやすい。そこで適宜がいしの洗浄が遂行される。
【０００３】
従来のがいし洗浄装置は、操作棒の先端部に洗浄部を取り付けたものであり、操作棒を操作して洗浄部をがいしに嵌着し、がいしに向って水タンクから洗浄水を吐出しながら、がいしの上面と下面に当接するブラシによりこの上面と下面を洗浄するようになっていた。
【０００４】
がいしを連結したがいし連は耐張型（水平若しくは略水平に配設するもの）と垂直型（鉄塔のアームの先端部などに垂直に懸吊し、その下端部に送電線を保持するもの）に大別される。
【０００５】
【発明が解決しようとする課題】
近年、送電線の高圧化は益々進んでおり、５０万ボルト超級のものも出現しており、これにともないがいし連も益々長大化している。従来、垂直型のがいし連の洗浄は、作業者はがいし連の側方に位置して操作棒をがいし連に向って横方向（水平方向）に突き出し、その先端部の洗浄部をがいしに嵌着してその洗浄を行っていた。この場合、操作棒はその先端部の水タンクを含む重量の大きい洗浄部のためにわん曲しながら上下方向に大きくふらつきやすい。また特に鉄塔上は強風が吹いている場合が多いのでその風圧のために洗浄部は上下左右方向に大きくふらつきやすい。
【０００６】
このため、従来、洗浄部をがいしに嵌着する作業は甚だ面倒であった。特に上述のように長大化した垂直型のがいし連の場合、操作棒も長大であるので洗浄部をがいしにきわめて嵌着しにくく、このため洗浄作業に多大な労力と時間を要していた。
【０００７】
そこで本発明は、長大な垂直がいし連の洗浄に適したがいしの洗浄装置を提供することを目的とする。
【０００８】
【課題を解決するための手段】
本発明は、高圧送電線鉄塔に懸吊された垂直型がいし連のがいしを洗浄するがいしの洗浄装置であって、がいしの洗浄部を有し、この洗浄部が、平面形状が円形のがいしの外周部に当てがわれる円弧状のガイド体と、このガイド体に案内されて回動する回動体と、この回動体からがいしへ向って延出しがいしの上面と下面に摺接してこの上面と下面を清掃する清掃子と、がいしに向って洗浄水を吐出する水タンクと、前記回動体の両端部に一端部が取り付けられた左右２本の第１のひも状体と、台部上に水平な姿勢で軸支されてこれらの第１のひも状体が水平方向へ周回する左右２個のローラと、水平な回転軸に軸着されてこれらのローラを周回した第１のひも状体が巻回される第１の回転体と、第１の回転体と同軸的に設けられた第２の回転体と、第２の回転体に巻回されて上方へ延出し、洗浄部の上方において交互に引き操作をすることにより第１の回転体と第２の回転体を前記水平な回転軸を中心に上下方向へ正逆回転させ、これにより前記回動体を前記ガイド体に沿って正逆回動させる２本の第２のひも状体と、前記ガイド体から上方へ延出するアーム及びこのアームの先端部に軸支されてがいしの上面に当接するロールから成る前記洗浄部の位置決め手段とを備え、この洗浄部に連結部を介して上方へ延出する電気絶縁性の操作棒を連結し、この洗浄部をこの操作棒で上方から支持するようにした。
【００１０】
本発明によれば、２人の作業者はがいし連の上方に位置し、一方の作業者は操作棒を垂直若しくは略垂直に下方へ伸ばし、操作棒の下端部の洗浄部をがいしに嵌着させる。すなわち従来のように操作棒をがいし連に向って横方向（水平方向）へ突き出すのではなく、垂直若しくは略垂直に立てて下方へまっすぐ伸ばすのであるから、作業者の重量（荷重）負担は従来のものに比較してきわめて小さい。そして洗浄部は垂直な操作棒の下端部にあるので、その荷重によって操作棒が上記従来のように大きくたわんだりふらついたりすることはなく、したがって作業者は洗浄部をがいしに容易に嵌着できる。そして他方の作業者は、一方の作業者の近傍に位置して２本の第２のひも状体を交互に引き操作をすることにより、清掃子をがいしの上面と下面に摺接させてこの上面と下面を十分に洗浄できる。また２人の作業者は互いに近傍に位置するので、互いに作業進渉状況等を口頭でやりとりしながら、コンビネーションよく洗浄作業を実行することができる。
【００１１】
【発明の実施の形態】
以下、本発明の実施の形態を図面を参照しながら説明する。図１は送電線鉄塔上での垂直型がいし連の洗浄作業中の概略全体側面図、図２は洗浄部の平面図、図３は洗浄部の部分平面図、図４、図５は洗浄中の部分側面図、図６は第１のひも状体と第２のひも状体の調帯構造を示すローラと回転車の斜視図である。
【００１２】
図１において、１は送電線鉄塔本体、２は本体１から側方へ延出するアーム部であり、アーム部２の先端部には垂直型のがいし連３が懸吊されている。がいし連３は平面形状が円形のがいし４を連結部５で多数個連結して成っており、その下端部に送電線６を保持している。送電線６は５０万ボルト級の高圧線であり、このためがいし連３は長大化（例えば１０ｍ以上）している。
【００１３】
アーム部２には２人の作業者Ｐ１，Ｐ２が位置している。一方の作業者Ｐ１は操作棒９の上端部を保持している。操作棒９は垂直若しくは略垂直に直立して保持されており、その下端部の洗浄部１０をがいし４に嵌着させている。他方の作業者Ｐ２は一方の作業者Ｐ１の近傍に位置し、両手で２本の第２のひも状体２５，２６を保持している。洗浄部１０をがいし４に嵌着させた状態で、作業者Ｐ２は２本の第２のひも状体２５，２６を上方へ交互に引き操作をすると（矢印ａ参照）、洗浄部１０のブラシ（後述）はがいし４の上面と下面に摺接してこの上面と下面を洗浄する。このように本発明に係るがいしの洗浄装置は、２人の作業者Ｐ１，Ｐ２が垂直型がいし連３の上方に位置し、一方の作業者Ｐ１は操作棒９を垂直に保持してその下端部の洗浄部１０をがいし４に嵌着させ、他方の作業者Ｐ２は第２のひも状体２５，２６を上方へ交互に引き操作をすることによりがいし４の洗浄を行うことを特徴にしている。
【００１４】
次に図２〜図６を参照して洗浄部１０の構造を説明する。図２、図３において、１１は半円弧状、断面箱形のガイド体であり、その内部に半円弧状の回動体１２が配設されている。図４に示すように、回動体１２には、その両端部からがいし４の上面と下面へ向って延出する清掃子としてのブラシ１３，１４が設けられている。
【００１５】
回動体１２の両端部には第１のひも状体としての左右２本のワイヤ１５，１６の先端部が止具２０に取り付けられている。図２、図５において、ガイド体１１は台部１７の先端部に固着されている。ガイド体１１の後方には左右一対のローラ１８，１９が台部１７上に水平な姿勢で軸支されている（図６も参照）。また台部１７上には第１の回転体２１と第２の回転体２２が水平な回転軸２３に同軸的に軸着されている。２４は回転軸２３の軸受であり、これらは台部１７上に配設されている。
【００１６】
図２、図６に示すように、上記２本のワイヤ１５，１６はローラ１８，１９を水平方向へ周回し、第１の回転体２１に巻回されている。また第２の回転体２２には、第２のひも状体としての２本のワイヤ２５，２６が巻回されている。図６はワイヤ１５，１６とワイヤ２５，２６の調帯構造を示す斜視図である。
【００１７】
図５において、ガイド体１１からカギ型のアーム３０が上方へ延出しており、その先端部にはがいし４の上面に当接するロール３１が軸支されている。ガイド体１１は、操作棒９を操作して洗浄部１０を矢印Ｎで示すように側方からがいし４へ向って水平方向へ動かすことによりがいし４の外周部に嵌着されるが、このときロール３１は、洗浄対象のがいし４ｂよりも上段のがいし４ａの上面に当接し、これによりガイド体１１の位置決めがなされる。すなわちアーム３０とロール３１は、洗浄部１０をがいし４の洗浄位置に位置決めする位置決め手段となっている。アーム３０には、自在継手などの連結部３２が取り付けられており、この連結部３２に操作棒９の下端部が連結されている。
【００１８】
図２において、ガイド体１１の両側部には左右２個の水タンク４１が設けられている。水タンク４１は、図示しないフレームなどの支持手段により、台部１７に一体的に支持されている。水タンク４１からがいし４の上面と下面へ向ってパイプ４２が延出している。図示しないが、パイプ４２の先端部にはピッチをおいて小孔が複数開孔されており、小孔からがいし４の上面と下面へ向って洗浄水を吐出する。なおかかる水タンク４１は周知のものである。
【００１９】
このがいしの洗浄装置は上記のような構成より成り、次にがいしの洗浄方法を説明する。図１に示すように、作業者Ｐ１，Ｐ２は本洗浄装置を送電線鉄塔のアーム部２へ引き上げる。そして一方の作業者Ｐ１は操作棒９を直立姿勢で保持し、その下端部の洗浄部１０を下方へ下ろして、そのガイド体１１を洗浄対象となるがいし４ｂの外周部に嵌着させる（図４、図５）。このとき、ロール３１ががいし４ｂの上段のがいし４ａの上面に当接することにより、洗浄部１０は所定の位置に位置決めされる。なお図４、図５において、がいし４には、これらを区別するための「ａ」、「ｂ」、「ｃ」の添字を付している。
【００２０】
次にがいし連３の上方に位置する他方の作業者Ｐ２は、２本のワイヤ２５，２６を両手に保持し、交互に上方へ引き操作をする（図１、図５の矢印ａ）。すると図６において、第２の回転体２２は水平な回転軸２３を中心に上下方向へ正逆回転し（矢印ｂ）、これと同軸の第１の回転体２１も同方向ｂに正逆回転する。このように第１の回転体２１が正逆回転すると、２本のワイヤ１５，１６は交互に第１の回転車２１に巻き取り、巻き戻しされてその長手方向ｃに往復直線運動をする。するとワイヤ１５，１６の先端部が取り付けられた回動体１２はワイヤ１５とワイヤ１６に交互にけん引されてガイド体１１内を正逆回動する（図３の矢印ｄ）。これによりブラシ１３，１４も回動体１２と一緒に同方向へ正逆回動し（図３の矢印ｅ）、これらが摺接するがいし４ｂの上面と下面を清掃する。
【００２１】
このようにしてがいし４ｂの洗浄が終了したならば、作業者Ｐ１は洗浄部１０をがいし４ｂからはずし、次いで下段のがいし４ｃに同様にして嵌着し、またロール３１をその上段のがいし４ｂの上面に当接し、上記と同様にがいし４ｃを洗浄する。
【００２２】
上記洗浄作業において、２人の作業者Ｐ１，Ｐ２は垂直型がいし連３の上方に位置し、作業者Ｐ１は操作棒９を直立させて下方へ下ろし、その下端部の洗浄部１０をがいし４に着脱するので、従来方法のように操作棒が洗浄部の荷重により大きくたわんだりふらついたりするようなことはなく、また風にあおられにくいので、作業者Ｐ１は容易に洗浄部１０をがいし４に嵌着でき、操作棒９を操作する作業者Ｐ１の労力や手間は大巾に軽減され、かいしを作業性よく迅速に洗浄できる。本発明によれば、長大な垂直型がいし連を構成するがいしのうち、特に下部のがいし（すなわち作業者Ｐ１，Ｐ２から遠く離れた位置のがいし）の洗浄を手際よく行える長所がある。
【００２３】
【発明の効果】
本発明によれば、作業者の労力を大巾に軽減し、長大な垂直型がいし連のがいし洗浄を容易かつ迅速に行うことができる。
【図面の簡単な説明】
【図１】送電線鉄塔上での垂直型がいし連の洗浄作業中の概略全体側面図
【図２】洗浄部の平面図
【図３】洗浄部の部分平面図
【図４】洗浄中の部分側面図
【図５】洗浄中の部分側面図
【図６】第１のひも状体と第２のひも状体の調帯構造を示すローラと回転車の斜視図
【符号の説明】
３  がいし連
４  がいし
９  操作棒
１０  洗浄部
１１  ガイド体
１２  回動体
１３，１４  ブラシ（清掃子）
１５，１６  第１のひも状体
１８，１９  ローラ
２１  第１の回転体
２２  第２の回転体
２５，２６  第２のひも状体
４１  水タンク
【図１】
0003884656.tif 000002
【図２】
0003884656.tif 000003
【図３】
0003884656.tif 000004
【図４】
0003884656.tif 000005
【図５】
0003884656.tif 000006
【図６】
0003884656.tif 000007